(57)【特許請求の範囲】
【請求項１】
開口が形成された上板部と、前記開口より下部に形成された回転軸部とを有する枠部材、及び、
先端部が開放された円弧状の取手部と、前記取手部の後端部を前記回転軸部に回転自在に連結する支持片とを有し、前記取手部の先端部を最初に前記開口から引き出すことにより前記取手部の円弧状の内側に指掛可能となる先端部開放型取手本体
を備えたことを特徴とする取手装置。
【請求項２】
その上面が前記上板部の上面と面一になるように、前記開口に配設された指圧部と、該指圧部から下方へ延設する延設部とを有する操作体、及び、
前記操作体が下方に押し下げられることにより連動して回動するカム
を備え、
前記取手部は、切欠部が形成されており、
前記カムは、回動することにより前記取手部の前記切欠部に係合され、前記取手部の先端部を前記開口より上側に押し上げる力を加えるように構成されている請求項１に記載の取手装置。
【請求項３】
前記操作体が下方に押し下げられていない状態のときには、前記延設部の下端部と前記カムとの間に隙間が形成されており、前記操作体に対する押し下げ操作がされる際の該操作に遊びを持たせた請求項２に記載の取手装置。
【請求項４】
前記カムには、前記枠部材の一部に当接することで前記カムの動作範囲を制限し、前記カムが前記枠部材の内壁と前記取手部との間に噛み込まないようにするためのストッパー片が形成されている請求項２又は３に記載の取手装置。 
【発明の詳細な説明】
【技術分野】
【０００１】
本発明は、例えば、床下収納庫の蓋等を開閉操作するために用いられる取手装置に関する。
【背景技術】
【０００２】
住宅等の建造物には、例えば、床下収納庫、床下点検口等が設けられたものが多く存在する。これらは、フローリング板等の床板等に形成された開口に枠体が設置され、その枠体に蓋が開閉可能に嵌め込まれることにより設置される。このような蓋には取手装置が設けられているが、その上を躓いたりすることなく歩けるようにするため、開閉操作をするとき以外は収納することが可能な構成となっている（例えば、特許文献１〜４参照）。
【０００３】
このような従来の取手装置の構造について説明する。
図１５は、従来の取手装置の一例を模式的に示す縦断面図である。
蓋板６９０には、開口６９１が形成され、開口６９１には、取手装置６１０が上部から嵌合されているとともに、カバー６８０が下部から嵌合されている。カバー６８０には、貫通孔６８１が設けられているとともに、取手装置６１０には、雌ネジ部６２３が設けられており、貫通孔６８１に挿通された取付ネジ６８２が雌ネジ部６２３に螺締されることにより、取手装置６１０とカバー６８０とが蓋板６９０を挟持するように固定されている。
【０００４】
取手装置６１０は、回転軸６２２が設けられた枠部材６２０と、回転軸６２２に回転自在に連結された半円弧状の取手本体６３０とから構成されている。
取手本体６３０は、円弧部６４２と平坦部６４１とから構成されていて、常態時には、平坦部６４１の表面が枠部材６２０の表面と面一の位置にあり、蓋板６９０の表面より上側に突出していないが、平坦部６４１の端に設けられた押下部６４３を押し下げることにより、取手本体６３０を回動させて、円弧部６４２の一部（他端６３１）を枠部材６２０の表面より上側に突出させることができる。これにより、取手本体６３０に指を掛けて蓋板６９０を容易に開閉することが可能となる。
【０００５】
しかしながら、図１５に示す構造では、取手本体６３０は、全体として閉じられた形状をしているため、例えば、指が取手本体６３０に入ったままの状態にあるときに上から物を落してしまったり、誤って踏みつけてしまったりした場合に、指が蓋板６９０と取手本体６３０の平坦部６４１との間に挟まって怪我をしてしまうといった問題があった。特に、このような怪我は、注意力が散漫となりがちな子供や、身体能力が低下しがちな老人に多く発生することとなっていた。
【０００６】
【特許文献１】実開昭５５−１１８８５３号公報
【特許文献２】特開２００２−９７７８５号公報
【特許文献３】特開２００４−１３７８２７号公報
【特許文献４】実開昭５６−３６８４５号公報
【発明の開示】
【発明が解決しようとする課題】
【０００７】
本発明は、上述した課題に鑑みてなされたものであり、その目的は、取手本体と蓋との間への指の挟み込みを防止可能とした安全な取手装置を提供することにある。
【課題を解決するための手段】
【０００８】
以上のような目的を達成するために、本発明は、以下のようなものを提供する。
（１）  開口が形成された上板部と、上記開口より下部に形成された回転軸部とを有する枠部材、及び、
先端部が開放された円弧状の取手部と、上記取手部の後端部を上記回転軸部に回転自在に連結する支持片とを有し、上記取手部の先端部を最初に上記開口から引き出すことにより上記取手部の円弧状の内側に指掛可能となる先端部開放型取手本体
を備えたことを特徴とする取手装置。
【０００９】
（１）の発明によれば、先端部が開放された円弧状の取手部が、支持片を介して枠部材に回転自在に連結されており、枠部材の上板部に形成された開口からこの取手部の先端部を引き出すことにより指掛可能となる。従って、取手部の先端部が開放されているため、指が取手部に入ったままの状態にあるときに上から物を落してしまったり、誤って踏みつけてしまったりして、取手部が収納される方向に回転したとしても、指が蓋板との間に挟まってしまうことを防止することができ、安全を確保することができる。
【００１０】
さらに、本発明は、以下のようなものを提供する。
（２）  上記（１）の取手装置であって、
その上面が上記上板部の上面と面一になるように、上記開口に配設された指圧部と、該指圧部から下方へ延設する延設部とを有する操作体、及び、
上記操作体が下方に押し下げられることにより連動して回動するカム
を備え、
上記取手部は、切欠部が形成されており、
上記カムは、回動することにより上記取手部の上記切欠部に係合され、上記取手部の先端部を上記開口より上側に押し上げる力を加えるように構成されている
ことを特徴とする。
【００１１】
従来、図１５に示すように、取手本体６３０を回動させ、円弧部６４２の一部を枠部材６２０の表面より上側に突出させるためには、平坦部６４１の片側（押下部６４３）を押し下げることにより他端６３１を浮き上がらせる構成となっていた。しかしながら、このような構成では、押下部６４３と他端６３１との間に間隔があるため、蓋板６９０の上を歩いているときに足の指で押下部６４３を踏んでしまうと他端６３１が浮き上がってしまい、これに躓いて転倒してしまうおそれがあった。
【００１２】
（２）の発明によれば、操作体が下方に押し下げられることに連動してカムが回動し、取手部に形成された切欠部に係合され、取手部の先端部を開口より上側に押し上げるように構成されている。従って、操作体と先端部とを近づけて配置することができる。その結果、蓋板の上を歩いているときに足の指で操作体を踏んでしまっても、同時に先端部を踏むこととなるため、浮き上がりを防止することができ、躓く可能性を著しく低減することができる。
【００１３】
さらに、本発明は、以下のようなものを提供する。
（３）  上記（２）の取手装置であって、
上記操作体が下方に押し下げられていない状態のときには、上記延設部の下端部と上記カムとの間に隙間が形成されており、上記操作体に対する押し下げ操作がされる際の該操作に遊びを持たせた
ことを特徴とする。
【００１４】
（３）の発明によれば、操作体が下方に押し下げられていない状態のときには、延設部の下端部とカムとの間に隙間が形成されており、操作体に対する押し下げ操作に遊びを持たせているため、蓋板の上を歩いているときに足の指で操作体を踏んでしまっても、取手部は突出し難い。従って、取手部に躓いて転倒してしまうことをより確実に防止することができ、安全を確保することができる。
【００１５】
さらに、本発明は、以下のようなものを提供する。
（４）  上記（２）又は（３）の取手装置であって、
上記カムには、上記枠部材の一部に当接することで上記カムの動作範囲を制限し、上記カムが上記枠部材の内壁と上記取手部との間に噛み込まないようにするためのストッパー片が形成されている
ことを特徴とする。
【００１６】
（４）の発明によれば、カムには、上記枠部材の一部に当接することで上記カムの動作範囲を制限し、上記カムが上記枠部材の内壁と上記取手部との間に噛み込まないようにするためのストッパー片が形成されているため、取手部を枠部材の上部へ取り出した後、枠部材の下部へと戻す際に、噛み込んで戻らなくなることを防止することができる。
【発明の効果】
【００１７】
本発明によれば、取手本体と蓋との間への指の挟み込みを防止可能とした安全な取手装置を提供することができる。
【発明を実施するための最良の形態】
【００１８】
以下、本発明の取手装置の一例として、本発明を床下収納庫の蓋に適用した場合について説明する。
ただし、本発明の取手装置の用途は、特に限定されるものではなく、床下収納庫の蓋以外に、例えば、床下点検口の蓋等を挙げることができる。
【００１９】
［第１実施形態］
図１（ａ）は、第１実施形態に係る取手装置を模式的に示す縦断面図であり、（ｂ）は、（ａ）に示す例において指圧部を途中まで押し込んだ場合の様子を模式的に示す縦断面図である。
図２（ａ）は、図１（ｂ）に示した状態の後、指圧部を最後まで押し込んだ場合の様子を模式的に示す縦断面図であり、（ｂ）は、（ａ）に示した状態の後、取手本体を取り出した場合の様子を模式的に示す縦断面図である。
図３（ａ）は、図１に示した枠部材を模式的に示す正面図であり、（ｂ）は、その平面図であり、（ｃ）は、その縦断面図であり、（ｄ）は、その底面図であり、（ｅ）は、その背面図である。
図４（ａ）は、図１に示した取手本体を模式的に示す正面図であり、（ｂ）は、その平面図であり、（ｃ）は、その側面図であり、（ｄ）は、その背面図である。
図５（ａ）は、図１に示した取手本体を模式的に示す正面図であり、（ｂ）は、（ａ）に示した取手本体のＡ−Ａ線断面図であり、（ｃ）は、（ａ）に示した取手本体のＢ−Ｂ線断面図であり、（ｄ）は、（ａ）に示した取手本体のＣ−Ｃ線断面図である。
図６（ａ）は、図１に示した操作体を模式的に示す正面図であり、（ｂ）は、その平面図であり、（ｃ）は、その縦断面図であり、（ｄ）は、その底面図であり、（ｅ）は、その背面図である。
図７（ａ）は、図１に示したカムを模式的に示す平面図であり、（ｂ）は、その側面図である。
【００２０】
まず、取手装置１０の各部について説明する。
図１（ａ）に示すように、床下収納庫の蓋板９０に設けられた開口９１には、取手装置１０が設けられている。
取手装置１０は、枠部材２０と、取手本体３０と、操作体５０と、カム７０とを備えている。
枠部材２０は、樹脂板が所定形状に加工されたものであり、上板部２１と、側壁部２３と、操作体ホルダ部２４とを備える。枠部材の材質は、特に限定されるものではなく、樹脂製のものであってもよく、金属製のものであってもよい。なお、枠部材は、強度確保の観点から、一体的に成形されたものであることが望ましい。
【００２１】
上板部２１は、平面視が矩形状であり、その上面が蓋板９０と面一となるように、蓋板９０に設けられた開口９１に嵌め込まれている。上板部２１の正面側寄り（図３（ｂ）中の左側）には、両短辺が丸みを帯びた矩形状の開口２５が形成されている。開口２５の正面側寄りには、操作体５０が嵌め込まれており、常態時には、操作体５０の上面（指圧部５１の上面）が上板部２１の上面と面一となっている。また、開口２５の背面側寄りには、取手本体３０が挿通されており、常態時には、取手本体３０の先端部４３の上面４３ａが上板部２１の上面と面一となっている。操作体５０及び取手本体３０については、後に説明することとする。なお、開口２５の形状は、操作体５０の上面（指圧部５１の上面）と取手本体３０の先端部４３の上面４３ａとを組み合わせた形状と一致している。
【００２２】
なお、本明細書において、常態時とは、取手装置に対して外力が加えられていない状態にあるときをいい、例えば、操作体の指圧部を押し下げる力が加えられていない状態、取手本体を開口から取り出すための力（取手本体の先端部をつまみ上げる力）が加えられていない状態、取手本体が開口から取り出された状態において取手本体に指が掛けられ、上側に持ち上げられる力が加えられていない状態等を挙げることができる。
【００２３】
上板部２１の裏面の両端には、ナット穴２６が形成されており、インサートナット２７が圧入されている。なお、インサートナット２７を圧入する代わりに、接着剤を用いることとしてもよく、圧入と接着剤とを併用することとしてもよい。
【００２４】
上板部２１の外周には、Ｃ面取りされることにより面取部２１ａが形成されている。これにより蓋板９０に嵌合した際に蓋板９０の上面と上板部２の上面とを平滑に接続することができ、上板部２１の外周に躓くことを防止することができる。
【００２５】
操作体ホルダ部２４は、板状の壁部２４ａと、壁部２４ａの下側寄りに壁部２４ａに対して垂直に設けられたバネ台座２４ｂとから構成されており、上板部２１の下部且つ正面寄りに設けられている。壁部２４ａには、バネ台座２４ｂにバネ５８を配設した上で上側から操作体５０を取り付けることが可能である。これにより上側に復元力を持たせた状態で枠部材２０に摺動可能に操作体５０を配設することができる。
【００２６】
また、壁部２４ａには、常態時には、カム７０の係止片７３が係止され、操作体５０が押下された状態のときには、カム７０のストッパー片７２が係止される。カム７０については、後に説明することとする。
【００２７】
側壁部２３は、上板部２１及び操作体ホルダ部２４の両側面側に設けられており、側壁部２３には、回転軸孔２２及びカム用回転軸挿通孔２８が設けられている。回転軸孔２２は、上板部２１の下部略中央に設けられており、側壁部２３に取手本体３０を回転自在に連結するためのものである。カム用回転軸挿通孔２８は、操作体ホルダ部２４の下側に設けられており、カム７０を回転自在に連結するためのものである。
【００２８】
取手本体３０は、ナイロン製、ポリプロピレン製等の樹脂製であり、先端部４３が開放された円弧状の取手部４０と、取手部４０の後端部４１から円弧の中心方向に向かって延出した支持片３１とからなる。取手部４０の先端部４３は、枠部材２０の上板部２１の上面に係止可能なように凸部４３ｂが形成されている。支持片３１の先端部３２には、貫通孔３３が設けられており、この貫通孔３３と側壁部２３に設けられた回転軸孔２２とにスプリングピン９４が連通されることにより、側壁部２３に取手本体３０が回転自在に連結されている。
【００２９】
取手部４０の外周側には、中央部４２から後端部４１にかけて、カム７０の作用点部７１を係合させるための切欠部４４が設けられている。取手部４０の内周側には、取手として使用する際に指の腹部分に沿うように、アールが順次に変化しているアール面取部４５が形成されている。例えば、図５（ｂ）、図５（ｃ）、図５（ｄ）に示すように、Ｂ−Ｂ断面における角アール４５ｂは、Ａ−Ａ断面における角アール４５ａ及びＣ−Ｃ断面における角アール４５ｃよりも大きくなっている。取手本体３０は、枠部材２０に回転自在に取り付けられると、カム７０から力が加えられていない状態にあるときには、先端部４３の上面４３ａが枠部材２０の上面と面一となる。
【００３０】
操作体５０は、ナイロン製、ポリプロピレン製等の樹脂製であり、指圧部５１と、指圧部５１から下方に延設する延設部５５とを有している。指圧部５１の上面５には、平面視で略円形状の浅い凹部５１ａが設けられている。従って、操作体５０に対して押し下げ操作をするときに、押す箇所を間違え難くすることができる。
【００３１】
延設部５５は、平面視で背面側が開放されたコの字型をした筒形状をしており、内部にバネ５８を配設した上で、操作体ホルダ部２４に上側から配設されている。これにより、バネ台座２４ｂと指圧部５１の裏面との間にバネ５８が挟持され、上側から押し下げ操作がされると、上側に復元力を発揮し得る構成となっている。また、延設部５５には、爪部５６が形成されており、枠部材２０に係止されることにより、指圧部５１が枠部材２０の表面より上部に突出することを防止可能としている。延設部５５の下端にある下端部５７は、操作体５０が押下されていない状態においては、カム７０との間に隙間９２が設けられている。
【００３２】
カム７０は、両端が上側に傾斜した横長形状をしており、回転軸７４と、回転軸７４よりも正面側（図７（ｂ）中、左側）の上部に設けられた係止片７３と、回転軸７４よりも背面側（図７（ｂ）中、右側）の上部に設けられたストッパー片７２とを備えている。
【００３３】
回転軸７４は、カム７０の中央正面側寄りに設けられており、枠部材２０のカム用回転軸挿通孔２８に挿通される。係止片７３は、操作体５０から力が加えられていない場合に枠部材２０にカム７０を係止するためのものである。ストッパー片７２は、操作体５０から力が加えられた場合にカム７０の動作範囲を制限するためのものである。
【００３４】
取手装置１０の下側には、固定部材８０が取り付けられている。固定部材８０は、ナイロン製、ポリプロピレン製等の樹脂製であり、両端には貫通孔８１が設けられている。貫通孔８１には、取付ネジ８２が挿通され、枠部材２０に設けられたインサートナット２７に螺締されることにより、枠部材２０と固定部材８０とが蓋板９０を挟持するように固定されている。
【００３５】
次に、取手装置１０の動作について説明する。
指圧部５１を押下すると、図１（ｂ）に示すように、操作体５０は下方に移動する。このとき、操作体５０とカム７０との間には隙間９２があるため、操作体５０がカム７０の力点部７５に接するまでは、カム７０に力は加わらない。
【００３６】
操作体５０がカム７０の力点部７５に接した後、さらに指圧部５１を押下すると、図２（ａ）に示すように、操作体５０の下端部５７がカム７０の力点部７５に力を加えることとなり、さらに、カム７０が回転軸７４を支点として図中、反時計回り方向に回転し、作用点部７１が取手本体３０の切欠部４４に上方向の力を加えることとなる。その結果、取手本体３０が時計回りし、取手本体３０の先端部４３が蓋板９０の表面よりも上側に突出することとなる。
このとき、カム７０のストッパー片７２が操作体ホルダ部２４の壁部２４ａに係止され、それ以上回転することができない。従って、操作体５０が押下されたままの状態で取手本体３０が収納される方向（図２（ａ）中、反時計回り方向）に回転したとしても、カム７０の作用点部７１が取手本体３０の切欠部４４に係合することになる。その結果、カムが操作体ホルダ部２４の壁部２４ａと取手本体３０との間の空間９３に噛み込んで取手本体３０が戻らなくなることを防止することができる。
【００３７】
そして、図２（ｂ）に示すように、先端部４３をつまんで引き出すことにより、取手本体３０を片側（先端部４３側）が開放された取手として使用可能とすることができる。
取手本体３０は、引き出された状態（図２（ｂ）に示した状態）において、貫通孔３３（スプリングピン９４）よりも正面側（図２（ｂ）中、左側）の重さが貫通孔３３よりも背面側（図２（ｂ）中、右側）の重さよりも重くなるように構成されている。従って、取手本体３０から指を離すと自然に元の状態（図１（ａ）の状態）に戻るため、取手本体３０を収納することを忘れることによる躓きを防止することができる。
【００３８】
このように、第１実施形態に係る取手装置１０によれば、取手本体３０の片側が開放されているため、指が取手本体３０に入ったままの状態にあるときに上から物を落してしまったり、誤って踏みつけてしまったりして、取手本体３０が収納される方向（図１中、半時計回り）に回転したとしても、指が蓋板９０との間に挟まってしまうことを防止することができ、安全を確保することができる。
【００３９】
また、操作体５０が下方に押し下げられていない状態のときには、延設部５５の下端部５７とカム７０との間に隙間９２が形成されており、押し下げ操作に遊びを持たせているため、蓋板９０の上を歩いているときに足の指で指圧部５１を踏んでしまっても取手本体３０は突出し難い。従って、取手本体３０に躓いて転倒してしまうことを防止することができ、安全を確保することができる。
また、操作体５０の指圧部５１と取手本体３０の先端部４３とが隣接する位置にあるため、蓋板９０の上を歩いているときに足の指で操作体５０を踏んでしまっても、同時に先端部４３を踏むこととなるため、躓く可能性を著しく低減することができる。
【００４０】
第１実施形態では、枠部材２０には回転軸孔２２が設けられるとともに、取手本体３０には、貫通孔３３が設けられており、これらにスプリングピン９４が連通されることにより、枠部材２０に取手本体３０が回転自在に連結されている場合について説明した。しかしながら、本発明において、取手部を回転軸部に回転自在に連結する方法は特に限定されず、例えば、枠部材に、回転軸部として凸状の回転軸を設け、該回転軸に取手本体の貫通孔を挿通することとしてもよい。
【００４１】
［第２実施形態］
図８（ａ）は、第２実施形態に係る取手装置を模式的に示す平面図であり、（ｂ）は、その縦断面図である。
図９（ａ）は、図８（ｂ）に示した状態の後、指圧部を最後まで押し込んだ場合の様子を模式的に示す縦断面図であり、（ｂ）は、（ａ）に示す状態から取手本体を取り出した場合の様子を模式的に示す縦断面図である。
第２実施形態に係る取手装置１１０は、第１実施形態に係る取手装置１０に対して操作体とカムとの間に隙間（図１（ａ）の隙間９２を参照）が設けられていない点で異なるが、他の点において略共通する。以下、第２実施形態に係る取手装置１１０について説明する。
【００４２】
図８（ａ）、（ｂ）に示すように、取手装置１１０は、枠部材１２０と、取手本体１３０と、操作体１５０と、カム１７０を備えている。
枠部材１２０は、上板部１２１と、側壁部１２３と、操作体ホルダ部１２４とを備える。
【００４３】
上板部１２１は、平面視が矩形状であり、その上面が蓋板１９０と面一となるように、蓋板１９０に嵌め込まれている。上板部１２１の正面側寄り（図８（ａ）中の左側）には、平面視で矩形状を有する開口１２５が形成されている。開口１２５の正面側寄りには、操作体１５０が嵌め込まれており、常態時には、操作体１５０の上面（指圧部１５１の上面）が上板部１２１の上面と面一となっている。また、開口１２５の背面側寄りには、取手本体１３０が挿通されており、常態時には、取手本体１３０の先端部１４３の上面１４３ａが上板部１２１の上面と面一となっている。
【００４４】
上板部１２１の裏面の両端には、ナット穴１２６が形成されており、インサートナット１２７が圧入されている。
【００４５】
上板部１２１の外周には、Ｃ面取りされることにより面取部１２１ａが形成されている。
【００４６】
操作体ホルダ部１２４は、上板部１２１の下部且つ正面寄りに設けられている。操作体ホルダ部１２４には、上側から摺動可能に操作体１５０が配設されている。
【００４７】
側壁部１２３は、上板部１２１及び操作体ホルダ部１２４の側面側に設けられており、側壁部１２３には、回転軸孔１２２（図示せず）及びカム用回転軸挿通孔１２８（図示せず）が設けられている。
回転軸孔１２２は、上板部１２１の下部中央正面側寄りに設けられており、側壁部１２３に取手本体１３０を回転自在に連結するためのものである。
カム用回転軸挿通孔１２８は、操作体ホルダ部１２４の下側に設けられており、カム１７０を回転自在に連結するためのものである。
【００４８】
取手本体１３０は、先端部１４３が開放された円弧状の取手部１４０と、取手部１４０の後端部１４１から円弧の中心方向に向かって延出した支持片１３１とからなる。支持片１３１の先端部１３２には、貫通孔１３３（図示せず）が設けられており、この貫通孔１３３と側壁部１２３に設けられた回転軸孔１２２とにスプリングピン１９４が連通されることにより、側壁部１２３に取手本体１３０が回転自在に連結されている。
取手部１４０の外周側には、中央部１４２から後端部１４１にかけて、カム１７０の作用点部１７１を係合させるための切欠部１４４が設けられている。取手本体１３０は、枠部材１２０に回転自在に取り付けられると、カム１７０から力が加えられていない状態にあるときには、先端部１４３の上面が枠部材１２０の上面と面一となる。
【００４９】
操作体１５０は、指圧部１５１と、指圧部１５１から下方に延設する延設部１５５とを有している。延設部１５５は、平面視で背面側が開放されたコの字型をした筒形状をしており、下端部１５７にカム１７０の力点部１７５が当接している。
【００５０】
また、延設部１５５には、爪部１５６が形成されており、枠部材１２０に係止されることにより、指圧部１５１が枠部材１２０の表面より上部に突出することを防止可能としている。
【００５１】
カム１７０は、両端が上側に傾斜した横長形状をしており、回転軸１７４と、回転軸１７４よりも背面側（図８（ｂ）中、右側）の上部に設けられたストッパー片１７２とを備えている。
回転軸１７４は、カム１７０の略中央に設けられており、枠部材１２０のカム用回転軸挿通孔１２８に挿通される。ストッパー片１７２は、操作体１５０から力が加えられた場合にカム１７０の動作範囲を制限するためのものである。
【００５２】
取手装置１１０の下側には固定部材１８０が取り付けられており、固定部材１８０の両端には、貫通孔１８１が設けられている。貫通孔１８１には、取付ネジ１８２が挿通され、枠部材１２０に設けられたインサートナット１２７に螺締されることにより、枠部材１２０と固定部材１８０とが蓋板１９０を挟持するように固定されている。
【００５３】
次に、取手装置１１０の動作について説明する。
指圧部１５１を押下すると、図９（ａ）に示すように、操作体１５０は下方に移動し、カム１７０の力点部１７５に力を加えることとなる。そして、カム１７０が回転軸１７４を支点として図９（ａ）中、反時計回り方向に回転し、作用点部１７１が取手本体１３０の切欠部１４４に上方向の力を加えることとなる。その結果、取手本体１３０が時計回りし、取手本体１３０の先端部１４３が蓋板１９０の表面よりも上側に突出することとなる。なお、このとき、カム１７０のストッパー片１７２が操作体ホルダ部１２４に係止され、それ以上回転することができない。
【００５４】
その後、図９（ｂ）に示すように、先端部１４３をつまんで引き出すことにより、取手本体１３０を片側（先端部１４３側）が開放された取手として使用可能とすることができる。取手本体１３０は、引き出された状態（図９（ｂ）に示した状態）において、貫通孔１３３（スプリングピン１９４）よりも正面側（図９（ｂ）中、左側）の重さが貫通孔１３３よりも背面側（図９（ｂ）中、右側）の重さよりも重くなるように構成されている。
【００５５】
［第３実施形態］
図１０（ａ）は、第３実施形態に係る取手装置を模式的に示す平面図であり、（ｂ）は、その縦断面図である。
図１１（ａ）は、図１０（ｂ）に示した状態の後、指圧部を最後まで押し込んだ場合の様子を模式的に示す縦断面図であり、（ｂ）は、（ａ）に示す状態から取手本体を取り出した場合の様子を模式的に示す縦断面図である。
第３実施形態に係る取手装置２１０は、第２実施形態に係る取手装置１１０に対して、カムにストッパー片（図８（ｂ）のストッパー片１７２を参照）が設けられていない点で異なるが、他の点において略共通する。以下、第３実施形態に係る取手装置２１０について説明する。
【００５６】
図１０（ａ）、（ｂ）に示すように、取手装置２１０は、枠部材２２０と、取手本体２３０と、操作体２５０と、カム２７０とを備えている。
枠部材２２０は、上板部２２１と、側壁部２２３と、操作体ホルダ部２２４とを備える。
【００５７】
上板部２２１は、平面視が矩形状であり、その上面が蓋板２９０と面一となるように、蓋板２９０に嵌め込まれている。上板部２２１の正面側寄り（図１０（ａ）中の左側）には、平面視で矩形状を有する開口２２５が形成されている。開口２２５の正面側寄りには、操作体２５０が嵌め込まれており、常態時には、操作体２５０の上面（指圧部２５１の上面）が上板部２２１の上面と面一となっている。また、開口２２５の背面側寄りには、取手本体２３０が挿通されており、常態時には、取手本体２３０の先端部２４３の上面２４３ａが上板部２２１の上面と面一となっている。
【００５８】
上板部２２１の裏面の両端には、ナット穴２２６が形成されており、インサートナット２２７が圧入されている。
【００５９】
上板部２２１の外周には、Ｃ面取りされることにより面取部２２１ａが形成されている。
【００６０】
操作体ホルダ部２２４は、上板部２２１の下部且つ正面寄りに設けられている。操作体ホルダ部２２４には、上側から摺動可能に操作体２５０が配設されている。
【００６１】
側壁部２２３は、上板部２２１及び操作体ホルダ部２２４の側面側に設けられており、側壁部２２３には、回転軸孔２２２（図示せず）及びカム用回転軸挿通孔２２８（図示せず）が設けられている。回転軸孔２２２は、上板部２２１の下部略中央に設けられており、側壁部２２３に取手本体１３０を回転自在に連結するためのものである。カム用回転軸挿通孔２２８は、操作体ホルダ部２２４の下側に設けられており、カム２７０を回転自在に連結するためのものである。
【００６２】
取手本体２３０は、先端部２４３が開放された円弧状の取手部２４０と、取手部２４０の後端部２４１から円弧の中心方向に向かって延出した支持片２３１とからなる。支持片２３１の先端部２３２には、貫通孔２３３（図示せず）が設けられており、この貫通孔２３３と側壁部２２３に設けられた回転軸孔２２２とにスプリングピン２９４が連通されることにより、側壁部２２３に取手本体２３０が回転自在に連結されている。
【００６３】
取手部２４０の外周側には、中央部２４２から後端部２４１にかけて、カム２７０の作用点部２７１を係合させるための切欠部２４４が設けられている。取手本体２３０は、枠部材２２０に回転自在に取り付けられると、カム２７０から力が加えられていない状態にあるときには、先端部２４３の上面が枠部材２２０の上面と面一となる。
【００６４】
操作体２５０は、指圧部２５１と、指圧部２５１から下方に延設する延設部２５５とを有している。延設部２５５は、平面視で背面側が開放されたコの字型をした筒形状をしており、下端部２５７にカム２７０の力点部２７５が当接している。
【００６５】
また、延設部２５５には、爪部２５６が形成されており、枠部材２２０に係止されることにより、指圧部２５１が枠部材２２０の表面より上部に突出することを防止可能としている。
【００６６】
カム２７０は、両端が上側に傾斜した横長形状をしており、回転軸２７４を備えている。
回転軸２７４は、カム２７０の中央正面側寄りに設けられており、枠部材２２０のカム用回転軸挿通孔２２８に挿通される。
【００６７】
取手装置２１０の下側には固定部材２８０が取り付けられており、固定部材２８０の両端には、貫通孔２８１が設けられている。貫通孔２８１には、取付ネジ２８２が挿通され、枠部材２２０に設けられたインサートナット２２７に螺締されることにより、枠部材２２０と固定部材２８０とが蓋板２９０を挟持するように固定されている。
【００６８】
次に、取手装置２１０の動作について説明する。
指圧部２５１を押下すると、図１１（ａ）に示すように、カム２７０の力点部２７５に力を加えることとなる。そして、カム２７０が回転軸２７４を支点として図１１（ａ）中、反時計回り方向に回転し、作用点部２７１が取手本体２３０の切欠部２４４に上方向の力を加えることとなる。その結果、取手本体２３０が時計回りし、取手本体２３０の先端部２４３が蓋板２９０の表面よりも上側に突出することとなる。
【００６９】
その後、図１１（ｂ）に示すように、先端部２４３をつまんで引き出すことにより、取手本体２３０を片側（先端部２４３側）が開放された取手として使用可能とすることができる。取手本体２３０は、引き出された状態（図１１（ｂ）に示した状態）において、貫通孔２３３（スプリングピン２９４）よりも正面側（図１１（ｂ）中、左側）の重さが貫通孔２３３よりも背面側（図１１（ｂ）中、右側）の重さよりも重くなるように構成されている。
【００７０】
［第４実施形態］
図１２（ａ）は、第４実施形態に係る取手装置を模式的に示す平面図であり、（ｂ）は、その縦断面図であり、（ｃ）は、（ｂ）に示す状態から取手本体を取り出した場合の様子を模式的に示す縦断面図である。
図１２（ａ）、（ｂ）に示すように、取手装置３１０は、枠部材３２０と、取手本体３３０とを備えている。
【００７１】
取手本体３３０は、先端部３４３が開放された円弧状の取手部３４０と、取手部３４０の後端部３４１から円弧の中心方向に向かって延出した支持片３３１とからなる。支持片３３１の先端部３３２には、周面に凹凸が設けられた円筒状のギザ部３３２ａが形成されている。また、ギザ部３３２ａの中心部には、貫通孔３３３（図示せず）が設けられており、この貫通孔３３３を用いることにより、枠部材３２０に取手本体３３０が回転自在に連結されている。取手部３４０の側面には、外周に沿って溝３４０ａが形成されている。
【００７２】
枠部材３２０は、平面視が矩形状であり、正面側寄り（図１２（ａ）中の左側）には、平面視で矩形状を有する開口３２５ａが形成されている。開口３２５ａは、取手本体３３０の取手部３４０を通過させることが可能であり、常態時には、取手部３４０の先端部３４３の上面３４３ａが枠部材３２０の上面と面一となっている。
【００７３】
また、枠部材３２０の中央には、平面視で矩形状を有する開口３２５ｂが形成されており、取手本体３３０のギザ部３３２ａの一部が僅かに突出している。
【００７４】
次に、取手装置３１０の動作について説明する。
ギザ部３３２ａを指で図１２（ｂ）中の矢印方向に回転させると、連動して先端部３４３が枠部材３２０の表面よりも上側に突出することとなる。
【００７５】
そして、図１２（ｃ）に示すように、先端部３４３をつまんで引き出すことにより、取手本体３３０を片側（先端部３４３側）が開放された取手として使用可能とすることができる。取手本体３３０は、引き出された状態（図１２（ｃ）に示した状態）において、貫通孔３３３よりも正面側（図１２（ｃ）中、左側）の重さが貫通孔３３３よりも背面側（図１２（ｃ）中、右側）の重さよりも重くなるように構成されている。
【００７６】
［第５実施形態］
図１３（ａ）は、第５実施形態に係る取手装置を模式的に示す平面図であり、（ｂ）は、その縦断面図であり、（ｃ）は、（ｂ）に示す状態から取手本体を取り出した場合の様子を模式的に示す縦断面図である。
図１３（ａ）、（ｂ）に示すように、取手装置４１０は、枠部材４２０と、取手本体４３０とを備えている。
【００７７】
取手本体４３０は、先端部４４３が開放された円弧状の取手部４４０と、取手部４４０の後端部４４１から円弧の中心方向に向かって延出した支持片４３１と後端部４４１から円弧を延長する方向に向かって延出した操作片４４５とからなる。支持片４３１の先端部４３２には、貫通孔４３３（図示せず）が設けられており、この貫通孔４３３を用いることにより、枠部材４２０に取手本体４３０が回転自在に連結されている。取手部４４０の側面には、外周に沿って溝４４０ａが形成されている。
【００７８】
枠部材４２０は、平面視が矩形状であり、正面側寄り（図１３（ａ）中の左側）には、平面視で矩形状を有する開口４２５ａが形成されている。開口４２５ａは、取手本体４３０の取手部４４０を通過させることが可能であり、常態時には、取手部４４０の先端部４４３の上面４４３ａが枠部材４２０の上面と面一となっている。
【００７９】
また、枠部材４２０の背面側寄り（図１３（ａ）中、右側）には、平面視で円形状の開口４２５ｂが形成されており、常態時には、操作片４４５の上面４４５ａが枠部材４２０の上面と面一となっている。
【００８０】
次に、取手装置４１０の動作について説明する。
操作片４４５の上面４４５ａを押下すると、連動して先端部４４３が枠部材３２０の表面よりも上側に突出することとなる。
【００８１】
そして、図１３（ｃ）に示すように、先端部４４３をつまんで引き出すことにより、取手本体４３０を片側（先端部４４３側）が開放された取手として使用可能とすることができる。取手本体４３０は、引き出された状態（図１３（ｃ）に示した状態）において、貫通孔４３３よりも正面側（図１３（ｃ）中、左側）の重さが貫通孔４３３よりも背面側（図１２（ｃ）中、右側）の重さよりも重くなるように構成されている。
【００８２】
［第６実施形態］
図１４（ａ）は、第６実施形態に係る取手装置を模式的に示す斜視図であり、（ｂ）は、（ａ）に示す例において操作部を押し下げた場合の様子を模式的に示す斜視図であり、（ｃ）は、（ｂ）に示した状態の後、取手本体を取り出した場合の様子を模式的に示す斜視図である。
図１４（ａ）に示すように、取手装置５１０は、枠部材５２０と、取手本体５３０と、操作体５５０とを備えている。
【００８３】
取手本体５３０は、先端部５４３が開放された円弧状の取手部５４０と、取手部５４０の後端部５４１から円弧の中心方向に向かって延出した支持片５３１とからなる。先端部５４３の内側には、凹部５４３ｂが設けられている（図１４（ｂ）参照）。支持片５３１の先端部５３２には、貫通孔５３３（図示せず）が設けられており、この貫通孔５３３を用いることにより、枠部材５２０に取手本体５３０が回転自在に連結されている。
【００８４】
枠部材５２０は、平面視が矩形状であり、正面側寄り（図１４（ａ）中の左奥側）には、平面視で矩形状を有する開口５２５が形成されている。開口５２５の背面側寄り（図１４（ａ）中の右手前側）には、操作体５５０が嵌め込まれており、常態時には、操作体５５０の上面（指圧部５５１の上面）が枠部材５２０の上面と面一となっている。また、開口５２５の正面側寄りには、取手本体５３０が挿通されており、常態時には、取手本体５３０の先端部５４３の上面５４３ａが枠部材５２０の上面と面一となっている。
【００８５】
操作体５５０は、指圧部５５１と、指圧部５５１を枠部材５２０に回転可能に取り付けるための支持部５５５とを有している。指圧部５５１の上面には、平面視で略円形状の浅い凹部５５１ａが設けられている。
【００８６】
支持部５５５には、貫通孔５５５ａ（図示せず）が設けられており、この貫通孔５５５ａと、取手本体５３０の貫通孔５３３と、枠部材５２０に設けられた貫通孔５３３とにスプリングピン５９４（図示せず）が連通されることにより、枠部材５２０に支持部５５５と取手本体５３０とが回転自在に連結されている。
【００８７】
次に、取手装置５１０の動作について説明する。
指圧部５５１を押下すると、図１４（ｂ）に示すように、指圧部５５１は貫通孔５５５ａを中心として半時計回り方向に回転し、下方に移動する。このとき、取手部５４０の先端部５４３に設けられた凹部５４３ｂが露出する。
【００８８】
そして、図１４（ｃ）に示すように、凹部５４３ｂに指を掛けて先端部５４３を引き出すことにより、取手本体５３０を片側（先端部５４３側）が開放された取手として使用可能とすることができる。
取手本体５３０は、引き出された状態（図１４（ｃ）に示した状態）において、貫通孔５３３よりも正面側の重さが貫通孔５３３よりも背面側の重さよりも重くなるように構成されている。
【００８９】
以上、本発明に係る取手装置の実施形態について説明したが、本発明の取手装置は、上述した例に限定されるものではなく、本発明の構成を充足する範囲内で、適宜設計変更を行うことが可能である。
【図面の簡単な説明】
【００９０】
【図１】（ａ）は、第１実施形態に係る取手装置を模式的に示す縦断面図であり、（ｂ）は、（ａ）に示す例において指圧部を途中まで押し込んだ場合の様子を模式的に示す縦断面図である。
【図２】（ａ）は、図１（ｂ）に示した状態の後、指圧部を最後まで押し込んだ場合の様子を模式的に示す縦断面図であり、（ｂ）は、（ａ）に示した状態の後、取手本体を取り出した場合の様子を模式的に示す縦断面図である。
【図３】（ａ）は、図１に示した枠部材を模式的に示す正面図であり、（ｂ）は、その平面図であり、（ｃ）は、その縦断面図であり、（ｄ）は、その底面図であり、（ｅ）は、その背面図である。
【図４】（ａ）は、図１に示した取手本体を模式的に示す正面図であり、（ｂ）は、その平面図であり、（ｃ）は、その側面図であり、（ｄ）は、その背面図である。
【図５】（ａ）は、図１に示した取手本体を模式的に示す正面図であり、（ｂ）は、（ａ）に示した取手本体のＡ−Ａ線断面図であり、（ｃ）は、（ａ）に示した取手本体のＢ−Ｂ線断面図であり、（ｄ）は、（ａ）に示した取手本体のＣ−Ｃ線断面図である。
【図６】（ａ）は、図１に示した操作体を模式的に示す正面図であり、（ｂ）は、その平面図であり、（ｃ）は、その縦断面図であり、（ｄ）は、その底面図であり、（ｅ）は、その背面図である。
【図７】（ａ）は、図１に示したカムを模式的に示す平面図であり、（ｂ）は、その側面図である。
【図８】（ａ）は、第２実施形態に係る取手装置を模式的に示す平面図であり、（ｂ）は、その縦断面図である。
【図９】（ａ）は、図８（ｂ）に示した状態の後、指圧部を最後まで押し込んだ場合の様子を模式的に示す縦断面図であり、（ｂ）は、（ａ）に示す状態から取手本体を取り出した場合の様子を模式的に示す縦断面図である。
【図１０】（ａ）は、第３実施形態に係る取手装置を模式的に示す平面図であり、（ｂ）は、その縦断面図である。
【図１１】（ａ）は、図１０（ｂ）に示した状態の後、指圧部を最後まで押し込んだ場合の様子を模式的に示す縦断面図であり、（ｂ）は、（ａ）に示す状態から取手本体を取り出した場合の様子を模式的に示す縦断面図である。
【図１２】（ａ）は、第４実施形態に係る取手装置を模式的に示す平面図であり、（ｂ）は、その縦断面図であり、（ｃ）は、（ｂ）に示す状態から取手本体を取り出した場合の様子を模式的に示す縦断面図である。
【図１３】（ａ）は、第５実施形態に係る取手装置を模式的に示す平面図であり、（ｂ）は、その縦断面図であり、（ｃ）は、（ｂ）に示す状態から取手本体を取り出した場合の様子を模式的に示す縦断面図である。
【図１４】（ａ）は、第６実施形態に係る取手装置を模式的に示す斜視図であり、（ｂ）は、（ａ）に示す例において操作部を押し下げた場合の様子を模式的に示す斜視図であり、（ｃ）は、（ｂ）に示した状態の後、取手本体を取り出した場合の様子を模式的に示す斜視図である。
【図１５】従来の取手装置の一例を模式的に示す縦断面図である。
【符号の説明】
【００９１】
１０、１１０、２１０、３１０、４１０、５１０  取手装置
２０、１２０、２２０、３２０、４２０、５２０  枠部材
２１、１２１、２２１  上板部
２２、１２２、２２２  回転軸孔
２５、１２５、２２５、３２５ａ、３２５ｂ、４２５ａ、４２５ｂ、５２５  開口
２８、１２８、２２８  カム用回転軸挿通孔
３０、１３０、２３０、３３０、４３０、５３０  取手本体
３１、１３１、２３１、３３１、４３１、５３１  支持片
４０、１４０、２４０、３４０、４４０、５４０  取手部
４１、１４１、２４１、３４１、４４１、５４１  後端部
４３、１４３、２４３、３４３、４４３、５４３  先端部
４４、１４４、２４４  切欠部
５０、１５０、２５０、５５０  操作体
５１、１５１、２５１、５５１  指圧部
５５、１５５、２５５  延設部
５７、１５７、２５７  下端部
７０、１７０、２７０  カム
７２、１７２  ストッパー片
７４、１７４、２７４  回転軸（カムの回転軸）
８０、１８０、２８０  固定部材
９０、１９０、２９０  蓋板
９１  開口
９２  隙間
９３  空間
９４、１９４、２９４、５９４  スプリングピン
【図１】
0005408579.tif 000002
【図２】
0005408579.tif 000003
【図３】
0005408579.tif 000004
【図４】
0005408579.tif 000005
【図５】
0005408579.tif 000006
【図６】
0005408579.tif 000007
【図７】
0005408579.tif 000008
【図８】
0005408579.tif 000009
【図９】
0005408579.tif 000010
【図１０】
0005408579.tif 000011
【図１１】
0005408579.tif 000012
【図１２】
0005408579.tif 000013
【図１３】
0005408579.tif 000014
【図１４】
0005408579.tif 000015
【図１５】
0005408579.tif 000016